(57)【特許請求の範囲】
【請求項１】
光通信に必要な機器が内蔵され、蓋が開閉可能に取付けられた光送受信器用のケース本体内に、それら機器の上からケース本体内に脱着可能に収容される光ファイバ収容トレイにおいて、
前記光ファイバ収容トレイは四角形の底板の各辺の外周に周壁が立設された皿状であり、前記底板上であって前記周壁よりも内側に、少なくとも、光ファイバの余長部を周回配線できる配線スペースと、それら光ファイバを周回することのできる巻き枠を備え、
前記巻き枠は底板から上方に突設され、
前記周壁のうち一つの辺の周壁に、光ファイバ引込み用セット部と光ファイバ引出し用セット部が設けられ、
前記底板に光アダプタ収容部が設けられ、
前記光アダプタ収容部は、前記引込み用セット部と引出し用セット部が設けられたセット部側周壁に対向する対向周壁と、前記巻き枠との間に二列以上並列に設けられ、
前記夫々の光アダプタ収容部は前記対向周壁の長手方向に沿って横長に設けられ、少なくとも上面と下面に突起が設けられた光アダプタを、それら突起を上下にした縦置きに配置できる広さであり、
それら光アダプタ収容部は上面開口にして、その上面開口部から光アダプタを差し込むことができ、
前記光アダプタ収容部の底板部分に貫通孔が開口されており、
前記貫通孔は光アダプタ収容部内に縦置きに収容配置された光アダプタの下側の突起が突出して、当該光アダプタの上側の突起が当該トレイの周壁上面よりも上方に突出しないようにしてある、
ことを特徴とする光送受信器用光ファイバ収容トレイ。
【請求項２】
光通信に必要な機器が内蔵され、蓋が開閉可能に取付けられた光送受信器用のケース本体内に、それら機器の上からケース本体内に脱着可能に収容される光ファイバ収容トレイにおいて、
前記光ファイバ収容トレイは四角形の底板の各辺の外周に周壁が立設された皿状であり、前記底板上であって前記周壁よりも内側に、少なくとも、光ファイバの余長部を周回配線できる配線スペースと、それら光ファイバを周回することのできる巻き枠を備え、
前記巻き枠は底板から上方に突設され、
前記周壁のうち一つの辺の周壁に、光ファイバ引込み用セット部と光ファイバ引出し用セット部が設けられ、
前記底板に光アダプタ収容部が設けられ、
前記光アダプタ収容部は、前記引込み用セット部と引出し用セット部が設けられたセット部側周壁に対向する対向周壁と、前記巻き枠との間に二列以上並列に設けられ、
前記夫々の光アダプタ収容部は前記対向周壁の長手方向に沿って横長に設けられ、少なくとも上面と下面に突起が設けられた光アダプタを、それら突起を上下にした縦置きに配置できる広さであり、
それら光アダプタ収容部は上面開口にして、その上面開口部から光アダプタを差し込むことができ、
前記光アダプタ収容部の底板部分が他の底板部分よりもトレイの裏面側に突出して内面側が深く窪んだ窪み部を備え、この窪み部は前記光アダプタを縦置きに収容配置できる広さであり、収容配置された光アダプタの上側の突起が当該トレイの周壁上面よりも上方に突出しない深さである、
ことを特徴とする光送受信器用光ファイバ収容トレイ。
【請求項３】
請求項２記載の光送受信器用光ファイバ収容トレイにおいて、
窪み部の底面に貫通孔が開口され、
前記貫通孔は少なくとも、前記窪み部に縦置きに収容配置された光アダプタの下側の突起が突出できるものである、
ことを特徴とする光送受信器用光ファイバ収容トレイ。
【請求項４】
請求項１から請求項３のいずれか１項に記載の光送受信器用光ファイバ収容トレイにおいて、
二列以上並列に設けられた光アダプタ収容部の間に、両光アダプタ収容部を区画する仕切り壁を備えた、
ことを特徴とする光送受信器用光ファイバ収容トレイ。
【請求項５】
請求項１から請求項４のいずれか１項に記載の光送受信器用光ファイバ収容トレイにおいて、
光アダプタ収容部に縦向きに収容配置された光アダプタに係止するロック機構を備え、
前記ロック機構は光アダプタ収容部の外側の周壁と、二列以上の光アダプタ収容部を仕切る仕切り壁に設けられた、
ことを特徴とする光送受信器用光ファイバ収容トレイ。
【請求項６】
請求項１から請求項５のいずれか１項に記載の光送受信器用光ファイバ収容トレイにおいて、
二列以上並列に設けられた光アダプタ収容部の間に、両光アダプタ収容部を区画する仕切り壁を備え、
当該仕切り壁に上方開口の切り込み空間を備え、
前記切り込み空間は、光アダプタ収容部に連通して開口されている、
ことを特徴とする光送受信器用光ファイバ収容トレイ。
【請求項７】
請求項１から請求項６のいずれか１項に記載の光送受信器用光ファイバ収容トレイにおいて、
光アダプタ収容部は、光アダプタの他に、光コネクタ又は光コネクタと光減衰器の双方を収容配置できる長さである、
ことを特徴とする光送受信器用光ファイバ収容トレイ。
【請求項８】
ケース本体内に光ＣＡＴＶシステムの光送受信に必要な光機器が収容され、それら光機器の上から、前記ケース本体内に光ファイバ収容トレイが着脱可能に収容配置された光送受信器において、
前記光ファイバ収容トレイが、請求項１から請求項７のいずれか１項に記載の光送受信器用光ファイバ収容トレイである、
ことを特徴とする光送受信器。
【発明の詳細な説明】
【技術分野】
【０００１】
本発明は、光送受信器用光ファイバ収容トレイ（光ローゼット、余長トレイともいわれる）に関し、光ＣＡＴＶシステムの光送受信器用として適する光ファイバ収容トレイと、その光ファイバ収容トレイをセットした光送受信器に関する。
【背景技術】
【０００２】
近年のＣＡＴＶシステムは、ＣＡＴＶセンターから加入者宅まで、映像信号と通信信号を光ファイバで接続する高速、大容量の光ＣＡＴＶシステムが主流となっている。
【０００３】
光ＣＡＴＶシステムでは、ＣＡＴＶセンターと加入者宅までの間に光送受信器が必要になる。
【０００４】
光送受信器には各種構造、形状のものがあり、一例として、特許文献１記載のものがある。光送受信器は特許文献１の図７に示すように、例えば、加入者宅の壁面に取付けて使用される。
【０００５】
光送受信器は、特許文献１の図１、図７に示すように、ケース本体３とそれにセットする光ファイバ収容部２４と、蓋体４を備えている。ケース本体３にはその収納空間５（前記図１）内に光受信部１３（前記図１）をはじめとして、光送受信に必要な機器、回路等を収容するケース１４が内蔵される。光ファイバ収容部２４（前記図１）は収納空間５内に収容されたケース１４の上に被せてケース本体３に着脱可能にセットされる。光ファイバ収容部２４にはほぼ楕円形の巻き枠２６、２７（特許文献１の図２）があり、それら外周に光ファイバの余長部を周回してある。
【０００６】
特許文献１の図面には明記されていないが、通常は、光ファイバ収容部２４内に光アダプタが配置され、それに、光コネクタを着脱可能としてある。光アダプタの配置、光アダプタと光コネクタの接続の一例を本願の図８（ａ）、（ｂ）、図９（ａ）〜（ｃ）に示す。
【０００７】
従来の光ファイバ収容トレイでは、光アダプタＡを図８（ｂ）、図９（ａ）〜（ｃ）に示すように、光ファイバ収容トレイＢに平置きにして上下二段重ねで実装している。既存の光アダプタＡは図８（ａ）に示すように、横幅寸法が縦幅寸法（高さ）よりも大きい。
【先行技術文献】
【特許文献】
【０００８】
【特許文献１】特許第４０６７４６６号公報
【発明の概要】
【発明が解決しようとする課題】
【０００９】
従来の光アダプタＡは平置きにして上下二段重ねで実装してあるため、次のような難点があった。
１．光ファイバ収容トレイＢから下側の光アダプタＡを取外す場合、上側の光アダプタＡを一旦取外して他の場所に仮置きしなければならないため、取外し作業が面倒である。また、作業者は光ファイバにストレスを与えないよう注意しなければならないという問題がある。
２．光アダプタＡは横幅が広いため、光ファイバ収容トレイＢの光アダプタ配置スペースの横幅を広くしなければならない。
３．二段重ねのため、光ファイバ収容トレイＢの深さが深くなり、光送受信器の高さが高くなる。
【００１０】
本発明は、設置スペースが少なくて済み、装着、取外しが容易で、薄型化可能な光送受信器用光ファイバ収容トレイと、それを使用した光送受信器を提供するものである。
【課題を解決するための手段】
【００１１】
本発明の光送受信器用光ファイバ収容トレイ（以下、「トレイ」という。）は、光通信に必要な機器が内蔵され、蓋が開閉可能に取付けられた光送受信器用のケース本体内に、それら機器の上からケース本体内に脱着可能に収容（セット）されるトレイにおいて、前記トレイは四角形の底板の各辺の外周に周壁が立設された皿状であり、前記底板上であって前記周壁よりも内側に、少なくとも、光ファイバの余長部を周回配線できる配線スペースと、それら光ファイバを周回することのできる巻き枠を備え、前記巻き枠は底板から上方に突設され、前記周壁のうち一つの辺の周壁に、光ファイバ引込み用セット部と光ファイバ引出し用セット部が設けられ、前記底板に光アダプタ収容部が設けられ、前記光アダプタ収容部は、前記引込み用セット部と引出し用セット部が設けられたセット部側周壁に対向する対向周壁と、前記巻き枠との間に二列以上並列に設けられ、前記夫々の光アダプタ収容部は前記対向周壁の長手方向に沿って横長に設けられ、少なくとも上面と下面に突起が設けられた光アダプタを、それら突起を上下にした縦置きに配置できる広さであり、それら光アダプタ収容部は上面開口にして、その上面開口部から光アダプタを差し込むことができ、前記光アダプタ収容部の底板部分に貫通孔が開口されており、前記貫通孔は光アダプタ収容部内に縦置きに収容配置された光アダプタの下側の突起が突出して、当該光アダプタの上側の突起がトレイの周壁上面よりも上方に突出しない（殆ど突出しないを含む）ようにしたものである。
【００１２】
本発明のトレイは、光通信に必要な機器が内蔵され、蓋が開閉可能に取付けられた光送受信器用のケース本体内に、それら機器の上からケース本体内に脱着可能に収容（セット）されるトレイにおいて、前記トレイは四角形の底板の各辺の外周に周壁が立設された皿状であり、前記底板上であって前記周壁よりも内側に、少なくとも、光ファイバの余長部を周回配線できる配線スペースと、それら光ファイバを周回することのできる巻き枠を備え、前記巻き枠は底板から上方に突設され、前記周壁のうち一つの辺の周壁に、光ファイバ引込み用セット部と光ファイバ引出し用セット部が設けられ、前記底板に光アダプタ収容部が設けられ、前記光アダプタ収容部は、前記引込み用セット部と引出し用セット部が設けられたセット部側周壁に対向する対向周壁と、前記巻き枠との間に二列以上並列に設けられ、前記夫々の光アダプタ収容部は前記対向周壁の長手方向に沿って横長に設けられ、少なくとも上面と下面に突起が設けられた光アダプタを、それら突起を上下にした縦置きに配置できる広さであり、それら光アダプタ収容部は上面開口にして、その上面開口部から光アダプタを差し込むことができ、前記光アダプタ収容部の底板部分が他の底板部分よりもケース本体側（トレイの裏面側）に突出して内面側が深く窪んだ窪み部を備え、この窪み部は前記光アダプタを縦置きに収容配置できる広さであり、収容配置された光アダプタの上側の突起が当該トレイの周壁上面よりも上方に突出しない（殆ど突出しないを含む）深さにしたものである。
【００１３】
前記トレイは、窪み部の底面に貫通孔が開口され、前記貫通孔は少なくとも、前記窪み部に縦置きに収容配置された光アダプタの下側の突起が突出できるものとすることもできる。
【００１４】
前記トレイは、二列以上並列に設けられた光アダプタ収容部の間に、両光アダプタ収容部を区画する仕切り壁を設けたものとすることもできる。
【００１５】
前記トレイは、光アダプタ収容部に縦向きに収容配置された光アダプタに係止するロック機構を備え、前記ロック機構は光アダプタ収容部の外側の周壁と、二列以上の光アダプタ収容部を仕切る仕切り壁に設けたものとすることもできる。
【００１６】
前記トレイは、二列以上並列に設けられた光アダプタ収容部の間に、両光アダプタ収容部を区画する仕切り壁を備え、当該仕切り壁に上方開口の切り込み空間を備え、前記切り込み空間は、光アダプタ収容部に連通して開口されているものとすることができる。
【００１７】
前記トレイは、光アダプタ収容部を、光アダプタの他に、光コネクタ又は光コネクタと光減衰器の双方を収容配置できる長さとすることができる。
【００１８】
本発明の光送受信器は、ケース本体内に光ＣＡＴＶシステムの光送受信に必要な光機器が収容され、それら光機器の上から、前記ケース本体内にトレイが着脱可能に収容配置された光送受信器において、トレイに前記いずれかのトレイを使用したものとすることができる。
【発明の効果】
【００１９】
本発明のトレイは次の効果がある。
（１）縦置き並列配置された二つの光アダプタのどちらか一方の接続を変更する場合に、他方の光アダプタをアダプタ収容部から取外さずに変更などできるので、変更作業が容易になり、煩わしさがない。また、他の光アダプタへ接続されている配線への悪影響もない。
（２）光アダプタ収容部が、二以上の光アダプタを縦置き並列配置できる横幅にしてあるため、トレイにおける光アダプタ収容部の占有スペースが狭くなり、トレイを小型化できる。
（３）光アダプタ収容部が、それに収容配置された光アダプタの前後に、光コネクタを、又は光減衰器と光コネクタの双方を接続することができる長さにしてあるため、光アダプタ収容部に収容配置された光アダプタへの、光コネクタ又は、光減衰器及び光コネクタの接続が容易になる。或いは、予め、光アダプタ又は光コネクタと光減衰器を接続した光アダプタを収容配置することもできる。
（４）光アダプタ収容部が、トレイの上側に設けてあるため、トレイの下からトレイに引込まれる光ファイバ又はトレイの下からトレイの外に引出される光ファイバの曲げ径を大きくすることができ、光ファイバに無理な曲げ力が加わらず、光ファイバが損傷し難くなる。
（５）光アダプタ収容部の底面が開口されているため、光アダプタ収容部に収容配置された光アダプタの底面外側に突出している突起が、その開口部からケース本体内に突出する。このため、トレイの深さを浅くすることができる。ケース本体内に収容された光機器とトレイとの間の上部空間を有効利用することができる。
（６）光アダプタを縦置き配置するため、光アダプタの上面に突出している突起を指でつまんで、光アダプタを光アダプタ収容部に出し入れでき、光アダプタの収容配置、取り外しが容易にできる。
（７）トレイがロック機構を備えているため、光アダプタ収容部に収容配置された光アダプタが不用意に脱落しない。
（８）光アダプタ収容部の底面が、他の箇所の底面よりもケース本体側に突出して、光アダプタ収容部が他の箇所よりも深く形成されているので、光アダプタを縦置きしても、光アダプタの上面の突起がトレイの上面よりも上方に突出することがなく、蓋の開閉に支障を来さない。
【００２０】
本発明の光送受信器は次の効果がある。
（１）前記トレイを使用し、その光アダプタ収容部に、二以上の光アダプタを縦置き並列配置したので、前記トレイの効果を備えた光送受信器となる。
（２）光減衰器も光アダプタ収容部に収容配置できるので、光アダプタ、光減衰器、光コネクタの配列構造が簡潔になる。
【図面の簡単な説明】
【００２１】
【図１】本発明の光送受信器の一例であり、蓋を取り外した状態の平面図。
【図２】（ａ）は本発明の光送受信器におけるトレイの一例を示す斜視図、（ｂ）はケース本体の一例を示す斜視図、（ｃ）は（ｂ）のケース本体に（ａ）のトレイをセットした状態の一例を示す斜視図。
【図３】本発明の光送受信器におけるトレイの一例であり、（ａ）は光アダプタを収容する前の斜視図、（ｂ）は光アダプタを収容した状態の斜視図。
【図４】（ａ）は図３（ａ）の光アダプタ収容部の詳細図、（ｂ）は図３（ｂ）の光アダプタ収容部の詳細図。
【図５】本発明の光送受信器におけるトレイの裏面を示す一例であり、（ａ）は光アダプタを収容する前の斜視図、（ｂ）は光アダプタを収容した状態の斜視図。
【図６】本発明の光送受信器の構成部材の説明図であり、（ａ）は光アダプタの一端に光減衰器を介して光コネクタを接続し、他端に光コネクタを直接接続した状態の斜視図、（ｂ）は（ａ）の分解図、（ｃ）は光アダプタの両端に光コネクタを直接接続した状態の斜視図、（ｄ）はＷＤＭフィルタの一例を示す斜視図、（ｅ）は光ファイバ接続用メカニカルスプライス又は融着スリーブの一例を示す斜視図。
【図７】（ａ）はケース本体にセットしたトレイに光アダプタを収容する前の状態の断面図、（ｂ）は光アダプタを収容した状態の断面図。
【図８】従来のトレイの一例であり、（ａ）は光アダプタを収容する前の状態の斜視図、（ｂ）は光アダプタを収容した状態の斜視図。
【図９】従来のトレイの一例であり、（ａ）は上面図、（ｂ）は正面図、（ｃ）は側面図。
【発明を実施するための形態】
【００２２】
（トレイの実施例）
本発明のトレイの一実施例を、図面を参照して以下に説明する。図２（ａ）〜（ｃ）に示すトレイ１はケース本体２内に着脱可能に収容係止されるものである。ケース本体２内には光通信に必要な機器ユニット３やその他の光機器が内蔵される場合があり、トレイ１はそれら機器の上から被せてケース本体２内に収容配置される。
【００２３】
ケース本体２は既存のケース本体と同様に光機器を収容可能な収容空間４（図２（ｂ））を備えた箱型であり、その周壁５に光ケーブル引込み口６、光ケーブル引出し口７が開口され（光ケーブル引込み口６と光ケーブル引出し口７は一例であり逆でもよい）、同軸ケーブル接続用の接栓８が設けられている。ケース本体２には建物の壁や支柱等に取付ける取付け部９も設けられている。
【００２４】
ケース本体２には蓋２０が開閉可能に取付けられており、蓋２０を閉じるとケース本体２に収容してあるトレイ１が閉塞されるようにしてある。ケース本体２、蓋２０は樹脂製、またはその他の材質とすることができる。
【００２５】
トレイ１は四角形の平板状の底板１０の各辺の外周に周壁１１が立ち上げられて浅い皿状になっている。トレイ１の一辺の周壁にはケーブル固定具（図示しない）を嵌め込んでセットできるセット部１２ａ、１２ｂ（図３（ａ））が形成されている。図３（ａ）（ｂ）のセット部１２ａはケース本体２の光ケーブル引込み口６（図２（ｂ）（ｃ））に対応する位置に形成された光ケーブル引込みセットであり、図３（ａ）（ｂ）のセット部１２ｂはケース本体２の光ケーブル引出し口７（図２（ｂ）（ｃ））に対応する位置に形成されている光ケーブル引出しセットである。
【００２６】
トレイ１には光ファイバ１３（図１）を周回して配線できる配線スペース(周回スペース)１４、光アダプタＡを収容配置できる光アダプタ収容部１６（図４（ａ））、二つの巻き枠１７、１８（図３（ａ）、（ｂ））が設けられている。巻き枠１７、１８は円形或いは楕円形であり、底板１０から立上げられている。巻き枠１７、１８には光ファイバ１３の余長部１９（図１）に巻いて、それら光ファイバ１３の配線方向を転換（右巻き、左巻きの方向転換）するのに使用することができる。
【００２７】
光アダプタ収容部１６（図４（ａ））はトレイ１の底板１０の周壁であって、前記引込み用セット部１２ａと引出し用セット部１２ｂが設けられたセット部側周壁１１ａに対向する対向周壁１１ｂ（図３（ａ）（ｂ））と、底板１０から立上げた仕切り壁２１（図３（ａ）、図４（ａ）（ｂ））の間に設けられている。収容スペース１４は広くし、光アダプタ収容部１６をトレイ１の上方（図１の上方）に設けることにより、一方のセット部１２からトレイ１内に引込まれる光ファイバ１３、他方のセット部１２から引出される光ファイバ１３の曲げ半径を大きくして（３０ｍｍ程度にして）曲げることができるようにしてある。曲げ半径を大きくすることにより、光ファイバ１３に無理な負荷がかからないようになる。
【００２８】
光アダプタ収容部１６（図４（ａ））の横幅Ｗは二つの光アダプタＡを縦置きして（幅の狭い面を縦向きに配置して）並列配置できる広さにしてある。光アダプタ収容部１６は光アダプタＡの軸線方向両側に接続する光コネクタＣ、光減衰器Ｅ（図６（ａ））も配置できる長さにしてある。
【００２９】
光アダプタ収容部１６に配置される光アダプタＡには各種形状のものがある。一例として図４（ａ）、（ｂ）に示す光アダプタＡは、縦面（上面と底面）に突起２２を備えている。図示した実施例では、この光アダプタＡを使用してある。
【００３０】
トレイ１の底板１０のうち、光アダプタ収容部１６の底面は底板１０の他の箇所よりも一段低く突設して、他の箇所の底面２１よりも深くしてあり（図４（ｂ）、図７（ａ））、ケース本体２にセットすると、図７（ａ）のようにケース本体２側に突出するようにしてある。光アダプタ収容部１６の底板１０を他の箇所の底板１０よりも深くすることにより、トレイ１の周壁１１（図４（ａ））、仕切り体２１（図４（ｂ））を低くしても（トレイ１を浅くしても：薄くしても）、光アダプタＡが光アダプタ収容部１６内に収まって、突起２２がトレイ１の上方に突出しないようにしてある（図４（ｂ））。
【００３１】
本発明では前記のように一段低くした底板１０に開口部２３（図４（ａ））を設けて、光アダプタ収容部１６に、突起付きの光アダプタＡを縦置き配置しても、底面の突起２２が開口部２３からケース本体２内に突出して、上面の突起２２が光アダプタ収容部１６内に収まって、アダプタ収容部１６の上面より上方に突出しないようにしてある（図４（ｂ））。
【００３２】
光アダプタ収容部１６の横の周壁１１及び仕切り壁２１には突起（ロック機構）２４（図４（ａ））を設け、その突起２４が光アダプタ収容部１６内に収容配置した光アダプタＡの上に被さって、光アダプタＡの浮き上がりや飛び出しを防止できるようにしてある。ロック機構２４は光アダプタＡの浮き上がりや飛び出しを防止できれば突起以外の構造であってもよい。
【００３３】
（光送受信器の実施例）
本発明の光送受信器は、ケース本体２内の収容空間４（図２（ｂ））内に、ＣＡＴＶシステムの光送受信に必要な機器ユニット３や他の機器が収容されている。機器ユニット３は金属ケース内に収容されている。機器ユニット３の上面にも光アダプタＡ（図２（ｂ））が横置き配置されている。
【００３４】
前記ケース本体２には、機器ユニット３の上から、本発明のトレイ１が脱着可能に配置され、そのトレイ１の光アダプタ収容部１６に二つの光アダプタＡが縦向きに二列に並列配置されている（図１）。
【００３５】
トレイ１の両側面には係止突起２５ａ、２５ｂ（図３（ａ）、（ｂ））が突設されており、それを、ケース本体２の周壁１１の両側面には開口されている差込み孔に図７（ａ）、（ｂ）のように差し込むことにより、ケース本体２の上にセットしたトレイ１がケース本体２から不用意に脱落しないようにしてある。
【００３６】
図６（ａ）では、光アダプタＡの一端に光減衰器Ｅを介在させてあるが、光減衰器Ｅを接続せずに、図６（ｃ）のように光コネクタＣを直接接続する場合もある。
【００３７】
図１ではトレイ１内の光ファイバ１３が、トレイ１の配線スペース１４内で周回されている。光ファイバ１３は必要に応じて二つの巻き枠１７、１８の外周を周回させて余長部１９により方向転換される。
【００３８】
図１の光ファイバ１３の余長部１９の配線例を以下に説明する。
（１）光ファイバ１３ａは、トレイ１の上方に配置されている光ファイバ接続用メカニカルスプライス又は融着スリーブ２７で出力側光ファイバ１３ｂと接続されている。
（２）光ファイバ１３ｃはトレイ１の下部に配置されているＷＤＭフィルタ２９に接続されている。
（３）ＷＤＭフィルタ２９からは映像系用の光ファイバ１３ｄ、通信系用の光ファイバ１３ｅの二本が引出されている。
（４）映像系用の光ファイバ１３ｄが光アダプタＡ１に接続され、通信系用の光ファイバ１３ｅが光アダプタＡ２に接続されている。
（５）光アダプタＡ１の出力側に映像系用の光ファイバ１３ｇが接続され、光アダプタＡ２に通信系用の光ファイバ１３ｆが接続されている。
（６）映像系用の光ファイバ１３ｇは機器ユニット３の上の光アダプタＡに接続、通信系用の光ファイバ１３ｆはトレイ１の外部に引き出して、通信機器へ接続される。
【００３９】
前記映像系用の光ファイバ１３ｄ、１３ｇ、通信系用の光ファイバ１３ｅ、１３ｆの夫々は、光コネクタＣにより光アダプタＡに接続されている。この場合、必要に応じて、光アダプタＡと光コネクタＣの間に光減衰器Ｅ（図６（ａ））を接続することができる。
【００４０】
光ファイバ１３が図１のように配線されている場合の信号伝送は次のようになる。
（１）映像系信号と通信系信号が、光ファイバ１３ａ−光ファイバ接続用メカニカルスプライス又は融着スリーブ２７−出力側光ファイバ１３ｂの系路を伝送される。
（２）ＷＤＭフィルタ２９で映像系信号と通信系信号に分波される。
（３）分波された映像系信号は光ファイバ１３ｄ−光アダプタＡ１−光ファイバ１３ｇ−光コネクタＣで光通信ユニットに入力される。
（４）分波された通信系信号は光ファイバ１３ｅ−光アダプタＡ２−光ファイバ１３ｆ−外部の通信機器に出力される。
【００４１】
図１の配線、前記信号伝送系路はあくまでも一例であり、それに限られるものではない。
【産業上の利用可能性】
【００４２】
本発明の光送受信器用光ファイバ収容トレイ、光送受信器はＣＡＴＶ以外に光伝送機器や光伝送システムにも利用可能である。
【符号の説明】
【００４３】
１    光ファイバ収容トレイ（トレイ）
２    ケース本体
３    機器ユニット
４  （ケース本体の）収容空間
５  （ケース本体の）周壁
６  （ケース本体の）光ケーブル引込み口
７  （ケース本体の）光ケーブル引出し口
８    接栓
９    取付け部
１０  （トレイの）底板
１１  （トレイの）周壁
１１ａ セット部側周壁
１１ｂ 対向周壁
１２    セット部
１２ａ 引込み用セット部
１２ｂ 引出し用セット部
１３    光ファイバ
１４    配線スペース(周回スペース)
１６    光アダプタ収容部
１７    巻き枠
１８    巻き枠
１９    余長部
２０    蓋
２１  （トレイの）仕切り壁
２２  （光アダプタの）突起
２３  （底板の）開口部
２４    ロック機構
２５    係止突起
２５ａ、２５ｂ    係止突起
２７    ＷＤＭフィルタ
２９    光ファイバ接続用メカニカルスプライス又は融着スリーブ
Ａ    光アダプタ
Ｂ    光ファイバ収容トレイ
Ｃ    光コネクタ
Ｄ    ケース本体
Ｅ    光減衰器
【要約】
【課題】  設置スペースが少なくて済み、装着、取外しが容易で、薄型化可能な光送受信器用光ファイバ収容トレイと、それを使用した光送受信器を提供する。
【解決手段】  光送受信器用ファイバ収容トレイは、ケース本体内に収容される光ファイバ収容トレイであり、トレイに光ファイバの余長部を周回（配線）できる配線スペースと、それら光ファイバを周回することのできる巻き枠と光アダプタ収容部を備え、光アダプタ収容部は二以上の光アダプタを縦置きにして二列以上並列配置できる横幅と深さにした。光アダプタ収容部は光アダプタの他に光コネクタ、又は、光コネクタと光減衰器の双方を収容配置できる広さにした。光送受信器は、ケース本体内に前記光ファイバ収容トレイを備え、そのトレイの光アダプタ収容部に二以上の光アダプタを縦置きして二列以上並列配置し、その光アダプタに光ファイバを光コネクタで直接又は光減衰器を介して光コネクタで接続した。
【選択図】  図１【図１】
0005559404.tif 000002
【図２】
0005559404.tif 000003
【図３】
0005559404.tif 000004
【図４】
0005559404.tif 000005
【図５】
0005559404.tif 000006
【図６】
0005559404.tif 000007
【図７】
0005559404.tif 000008
【図８】
0005559404.tif 000009
【図９】
0005559404.tif 000010